【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
原画像を形成する画像形成素子と、
前記原画像を被投射面に投射する投射光学系と、
前記被投射面に対する前記投射光学系の光軸の角度に関する情報を得る情報取得手段と、
前記情報に基づいて投射画像の輝度を調整する輝度調整手段とを有することを特徴とする画像投射装置。
【請求項２】
画像信号に応じた原画像を形成する画像形成素子と、
前記原画像を被投射面に投射する投射光学系と、
前記被投射面に対する前記投射光学系の光軸の角度に関する情報を得る角度情報取得手段と、
前記情報に基づいて、投射画像の輝度むらを補正するように前記画像信号を処理する信号処理手段とを有することを特徴とする画像投射装置。
【請求項３】
前記角度情報取得手段は、該画像投射装置から前記被投射面上の複数点までの距離をそれぞれ測定し、これらの測定結果に基づいて前記情報を得ることを特徴とする請求項２に記載の画像投射装置。
【請求項４】
前記角度情報取得手段は、前記被投射面上の少なくとも３点で距離を測定し、
前記信号処理手段は、水平方向および垂直方向での前記輝度むらを補正するように前記画像信号を処理することを特徴とする請求項３に記載の画像投射装置。
【請求項５】
前記角度情報取得手段は、前記画像投射装置および前記被投射面の設置角度を測定し、その測定結果に基づいて前記情報を得ることを特徴とする請求項２に記載の画像投射装置。
【請求項６】
前記投射光学系のズーム比を検出し、その検出結果に基づいて投射画角に関する画角情報を得る画角情報取得手段をさらに有し、
前記信号処理手段は、前記画角情報にも基づいて、前記投射画像の輝度むらを補正するように前記画像信号を処理することを特徴とする請求項２に記載の画像投射装置。
【請求項７】
前記信号処理手段は、前記情報に基づいて、前記投射画像の幾何学歪をも補正するように前記画像信号を処理することを特徴とする請求項２に記載の画像投射装置。
【請求項８】
原画像を形成する画像形成素子と、
前記原画像を被投射面に投射する投射光学系と、
前記画像形成素子に対して前記投射光学系を相対移動させる移動手段と、
前記移動手段による前記投射光学系の相対移動量に基づいて投射画像の輝度を調整する輝度調整手段とを有することを特徴とする画像投射装置。
【請求項９】
画像信号に応じた原画像を形成する画像形成素子と、
前記原画像を被投射面に投射する投射光学系と、
前記画像形成素子に対して前記投射光学系を、前記投射光学系の光軸に垂直な方向で相対移動させる移動手段と、
前記移動手段による前記投射光学系の相対移動量に基づいて、投射画像の輝度むらを補正するように前記画像信号を処理する信号処理手段とを有することを特徴とする画像投射装置。
【請求項１０】
前記投射光学系の光軸を含む中央部から周辺部までの透過光量特性に応じた補正データを複数記憶する記憶手段をさらに有し、
前記信号処理手段は、複数の前記補正データの中から前記投射光学系の相対移動量に応じた補正データを読み出して、前記画像信号の処理に使用することを特徴とする請求項９に記載の画像投射装置。
【請求項１１】
請求項１から１０のいずれか１つに記載の画像投射装置と、
前記画像投射装置に画像情報を供給する画像情報供給装置とを有することを特徴とする画像投射システム。
【手続補正２】
【補正対象書類名】明細書
【補正対象項目名】００１２
【補正方法】変更
【補正の内容】
【００１２】
ここで、角度情報取得手段は、画像投射装置から被投射面上の複数点までの距離をそれぞれ測定し、これらの測定結果に基づいて上記情報を得るようにしてもよい。
【手続補正３】
【補正対象書類名】明細書
【補正対象項目名】００１３
【補正方法】変更
【補正の内容】
【００１３】
また、角度情報取得手段は、被投射面上の少なくとも３点で距離を測定し、信号処理手段は、水平方向および垂直方向での上記輝度むらを補正するように画像信号を処理するようにしてもよい。
【手続補正４】
【補正対象書類名】明細書
【補正対象項目名】００１８
【補正方法】変更
【補正の内容】
【００１８】
また、本発明の第４の画像投射装置は、画像信号に応じた原画像を形成する画像形成素子と、原画像を被投射面に投射する投射光学系と、画像形成素子に対して投射光学系を該投射光学系の光軸に垂直な方向で相対移動させる移動手段と、該移動手段による投射光学系の相対移動量に基づいて、投射画像の輝度むらを補正するように画像信号を処理する信号処理手段とを有する。
【手続補正５】
【補正対象書類名】明細書
【補正対象項目名】００１９
【補正方法】変更
【補正の内容】
【００１９】
ここで、投射光学系の光軸を含む中央部から周辺部までの透過光量特性に応じた補正データを複数記憶する記憶手段をさらに設け、信号処理手段は、複数の補正データの中から投射光学系の相対移動量に応じた補正データを読み出して、画像信号の処理に使用するようにしてもよい。
【手続補正６】
【補正対象書類名】明細書
【補正対象項目名】００２７
【補正方法】変更
【補正の内容】
【００２７】
メイン画像処理回路１１では、ＩＰ（インターレース−プログレッシブ）変換、フレームレート変換、拡大縮小などの幾何学的信号処理や、カラーコントロールなどの色処理、γ補正などの輝度処理といった各種信号処理が行われる。台形歪補正回路１２は、このメイン画像処理回路１１内に設けられ、上記幾何学的信号処理の一部である台形歪補正処理を行う。
【手続補正７】
【補正対象書類名】明細書
【補正対象項目名】００３３
【補正方法】変更
【補正の内容】
【００３３】
また、１７は各種演算処理および制御を行うＭＰＵ（コントローラ）である。このＭＰＵ１７は、後述する測距センサ１９とともに請求の範囲にいう情報取得手段を構成するとともに、ズーム比検出センサ２０とともに画角情報取得手段を構成する。また、ＭＰＵ１７は、台形歪補正回路１２および輝度むら補正回路１３とともに、請求の範囲にいう輝度調整手段および信号処理手段を構成する。
【手続補正８】
【補正対象書類名】明細書
【補正対象項目名】００４０
【補正方法】変更
【補正の内容】
【００４０】
次に、ＳＴＥＰ３では、ズーム比検出センサ２０から、投影レンズ３１のズーム比データを受信し、該データから投影画角θを求める。さらに投影画角θから、投影光軸３１ａを中心として上側投影画角θUと下側投影画角θLとを求める。
【手続補正９】
【補正対象書類名】明細書
【補正対象項目名】００４６
【補正方法】変更
【補正の内容】
【００４６】
次に、ＳＴＥＰ５では、台形歪補正率Ｒｋを用いて、画素（ｘ，ｙ）ごとの輝度むら補正量を示す輝度むら補正分布Ｒｕ（ｘ，ｙ）を算出する。
【手続補正１０】
【補正対象書類名】明細書
【補正対象項目名】００８１
【補正方法】変更
【補正の内容】
【００８１】
輝度むら補正回路６３内には、補正データ生成回路６３ａと、画像信号生成回路６３ｂとが設けられている。補正データ生成回路６３ａ内のメモリコントローラ６３ｃは、ＭＰＵ７５から補正開始命令が入力されると、画像信号Ｖ１から抽出された水平，垂直同期信号（ＨＳ，ＶＳ）に同期して、補正データCSC_Data，LS_Data をそれぞれ読み出す。そして、同回路６３ａでは、液晶パネル６８上の同じ画素に対応した両補正データの加算を行う。これにより、今回使用する最終的な輝度むら補正データ（CSC_LS_Data） が生成される。
【手続補正１１】
【補正対象書類名】明細書
【補正対象項目名】００８２
【補正方法】変更
【補正の内容】
【００８２】
ここで、メモリコントローラ６３ｃは、メモリ６４に格納されたすべてのレンズシフト補正データ（LS_Data） のうち、レンズシフト量によって決まる投影レンズ６９での投影光束の透過領域に対応するデータ群である。すなわち、ＭＰＵ７５からのレンズシフト量情報によって全レンズシフト補正データ（LS_Data） 内の読み出しアドレス領域を決定し、該アドレス領域のデータ群を読み出す。そして、これらデータ群を用いて輝度むら補正データ（CSC_LS_Data）を生成する。
【手続補正１２】
【補正対象書類名】明細書
【補正対象項目名】００９１
【補正方法】変更
【補正の内容】
【００９１】
＜＜＜輝度むら補正回路６３＞＞＞
ＳＴＥＰ１１１では、メモリコントローラ６３ｃは、ＭＰＵ７５からの読み出し開始アドレスＡＤＲＳを受信した否かを判別する。受信したときはＳＴＥＰ１１２に進み、ＡＤＲＳを更新して、ＳＴＥＰ１１３に進む。また、受信していないときは、そのままＳＴＥＰ１１３に進む。
【手続補正１３】
【補正対象書類名】明細書
【補正対象項目名】００９７
【補正方法】変更
【補正の内容】
【００９７】
実施例３では、投影レンズ６９のシフト移動を検出して信号を出力するエンコーダ７１を用いてレンズシフト量を得る場合について説明したが、本実施例のプロジェクタ５１’では、投影レンズ６９をステッピングモータ８０を用いてシフト駆動するものとした上で、該モータ８０を制御するＭＰＵ７５にて該モータ８０の駆動量（駆動パルス数）をモニタすることにより、レンズシフト量情報を得る場合の例である。
【手続補正１４】
【補正対象書類名】明細書
【補正対象項目名】０１００
【補正方法】変更
【補正の内容】
【０１００】
プロジェクタ５１’の電源がＯＮされると、初期化動作として、基準位置センサ８２により投影レンズ６９が基準位置に位置したことが検出されるまでステッピングモータ８０が駆動される。これにより、レンズシフト量のイニシャライズが行われる。
【手続補正１５】
【補正対象書類名】明細書
【補正対象項目名】０１０１
【補正方法】変更
【補正の内容】
【０１０１】
その後、ＭＰＵ７５は、レンズシフトスイッチ８１から入力された操作信号に応じてステッピングモータ８０を駆動し、投影レンズ６９を上下もしくは左右方向にシフト駆動する。また、ＭＰＵ７５は、上記基準位置からステッピングモータ８０に与えられた駆動パルス数のカウント値に応じて、メモリ６４に格納されている補正データの読み出し開始アドレスを決定し、輝度むら補正回路６３に設定する。
【手続補正１６】
【補正対象書類名】明細書
【補正対象項目名】０１０５
【補正方法】変更
【補正の内容】
【０１０５】
図１５に示すＭＰＵ７５の初期化動作フローにおいて、電源がＯＮすると、ＳＴＥＰ２０１では、まず基準位置センサ８２の出力を判別する。該出力がＨｉｇｈの場合にはＳＴＥＰ２０２に進み、ステッピングモータ８０により上動（＋）方向に所定量、投影レンズ６９をシフト駆動する。そして、ＳＴＥＰ２０４に進む。一方、該出力がＬｏｗの場合にはＳＴＥＰ２０３に進み、ステッピングモータ８０により下動（−）方向に所定量、投影レンズ６９をシフト駆動する。そして、ＳＴＥＰ２０５に進む。
【手続補正１７】
【補正対象書類名】明細書
【補正対象項目名】０１０９
【補正方法】変更
【補正の内容】
【０１０９】
＜＜＜ＭＰＵ７５＞＞＞
ＳＴＥＰ３０１では、ＭＰＵ７５は、レンズシフトスイッチ８１が操作されたか否か（操作信号が入力されたか否か）の判別を繰り返し、操作されたときはＳＴＥＰ３０２に進む。
【手続補正１８】
【補正対象書類名】明細書
【補正対象項目名】０１１４
【補正方法】変更
【補正の内容】
【０１１４】
＜＜＜輝度むら補正回路６３＞＞＞
ＳＴＥＰ３１１では、メモリコントローラ６３ｃは、ＭＰＵ７５からの読み出し開始アドレスＡＤＲＳを受信した否かを判別する。受信したときはＳＴＥＰ３１２に進み、ＡＤＲＳを更新して、ＳＴＥＰ３１３に進む。また、受信していないときは、そのままＳＴＥＰ３１３に進む。
【手続補正１９】
【補正対象書類名】図面
【補正対象項目名】図１１
【補正方法】変更
【補正の内容】
【図１１】
2005150859.tif 000001
【手続補正２０】
【補正対象書類名】図面
【補正対象項目名】図１２
【補正方法】変更
【補正の内容】
【図１２】
2005150859.tif 000002
【手続補正２１】
【補正対象書類名】図面
【補正対象項目名】図１５
【補正方法】変更
【補正の内容】
【図１５】
2005150859.tif 000003